(57)【要約】【課題】放熱ファンの交換やメンテナンスに手間を要せず、穴加工等で基板が高価になることもない放熱ファンの取付構造を得ること。【解決手段】基板２に実装したＬＳＩ１に取付けたＬＳＩ冷却用の放熱ファンの取付構造であって、放熱ファン３が、ＬＳＩ１に固定したファンホルダ４を介してＬＳＩ１に取外し自在に取付けられている。このとき、放熱ファン３がネジ６を介してファンホルダ４に取外し自在に取付けられるようにしてもよい。また、ファンホルダ４に冷却用の通気穴４ｆを設けてもよい。【選択図】　　　　図１
2004031374.tif 000002
【特許請求の範囲】
【請求項１】
基板に実装したＬＳＩに取付けた該ＬＳＩ冷却用の放熱ファンの取付構造において、
前記放熱ファンが、前記ＬＳＩに固定したファンホルダを介して前記ＬＳＩに取外し自在に取付けられていることを特徴とする放熱ファンの取付構造。
【請求項２】
放熱ファンがネジを介してファンホルダに取外し自在に取付けられていることを特徴とする請求項１記載の放熱ファンの取付構造。
【請求項３】
ファンホルダの側壁に冷却用の通気穴を設けたことを特徴とする請求項１または２記載の放熱ファンの取付構造。
【発明の詳細な説明】
【０００１】
【発明の属する技術分野】
本発明は、ＬＳＩ冷却用の放熱ファンの取付構造に係り、より詳しくは、ファンホルダを介して放熱ファンをＬＳＩに取付けた放熱ファンの取付構造に関するものである。
【０００２】
【従来の技術】
図４はＬＳＩを冷却する従来の放熱ファンの取付け状態の一例を示す縦断面図である。図において、１はＬＳＩ、２はＬＳＩ１の基板（ＰＷＢ）、３はＬＳＩ１に取付けた放熱ファンで、放熱ファン３は固定用接着剤５によりＬＳＩ１に直接に接着して固定してある（従来技術１）。
【０００３】
図５はＬＳＩを冷却する従来の放熱ファンの取付け状態の他の例を示す縦断面図である。図において、１はＬＳＩ、２はＬＳＩ１の基板（ＰＷＢ）、３はＬＳＩ１に取付けた放熱ファンで、放熱ファン３は基板２に取付けネジ６によってネジ締めすることによって固定してある（従来技術２）。
【０００４】
【発明が解決しようとする課題】
従来技術１の放熱ファン３の取付け状態によれば、放熱ファン３を、直接にＬＳＩ１に接着されているため、放熱ファン３の交換やメンテナンスに手間を要するという問題があった。
また、従来技術２は放熱ファン３を取付けネジ６によって基板２に取付けられているため、基板２に穴加工等が必要となり、基板２が高価になるという問題があった。
【０００５】
本発明は上記のような課題を解決するためになされたもので、放熱ファンの交換やメンテナンスに手間を要せず、また、穴加工等で基板が高価になることもない放熱ファンの取付構造を得ることを目的とする。
【０００６】
【課題を解決するための手段】
本発明は、基板に実装したＬＳＩに取付けたＬＳＩ冷却用の放熱ファンの取付構造であって、放熱ファンが、ＬＳＩに固定したファンホルダを介してＬＳＩに取外し自在に取付けられている。
こうして、ファンホルダをＬＳＩに接着等により固定し、そのファンホルダに放熱ファンを取外し自在に取付ける。
【０００７】
また、放熱ファンがネジを介してファンホルダに取外し自在に取付けられている。
こうして、ファンホルダをＬＳＩに接着等により固定し、そのファンホルダに放熱ファンをネジで取外し自在に取付ける。このため、放熱ファンを容易に取り外しできる。
【０００８】
さらに、ファンホルダの側壁に冷却用の通気穴を設けた。
こうして、ファンホルダの取付け方向や、通気穴の大きさ等を変えることにより、被冷却対象であるＬＳＩやその基板周囲にある部品の冷却性を向上させる。
【０００９】
【発明の実施の形態】
図１は本発明の実施の形態に係るＬＳＩ冷却用の放熱ファンの取付構造を示す縦断面図、図２は図１の平面図、図３は図１の側面図である。図において、１は高速なクロックを有するＬＳＩ、２は上面にＬＳＩ１を実装した基板（ＰＷＢ）、３はＬＳＩ１の上部に配置したＬＳＩ冷却用の放熱ファンで、ＬＳＩ１の冷却をうながすための風を起こす部分を備えている。４は放熱ファン３を保持するためのファンホルダで、固着用接着剤５によってＬＳＩ１に直接接着されている。６は放熱ファン３をファンホルダ４に取付けるための取付けネジで、この取付けネジ６を取外すことによって、放熱ファン３だけをファンホルダ４から容易に取外しできるようになっている。
【００１０】
次に、ファンホルダ４の構成を詳述する。ファンホルダ４は、ほぼ長方形状の平板の長辺側の両側面を同方向にほぼ直角に折り曲げて正方形状の底面４ａと側壁４ｂを形成し、さらにこの側壁４ｂの先端面を相互に向い合う方向にほぼ直角に折り曲げて上面４ｃを構成し、底面４ａと上面４ｃがほぼ平行になるようにする。そして、両上面４ｃの四隅を残して中央部付近を長方形状に切り取って切欠部４ｄを形成する。こうして形成したファンホルダ４は、対向する両側壁４ｂと直交する他方の両側部に立設面がない挿入部４ｅが形成され、この両挿入部４ｅからファンホルダ４の内部に向けて立方体形状の空隙部７が形成され、この空隙部７に挿入部４ｅから放熱ファン３の放熱基部３ａが挿入できるようになっている。４ｆは両側壁４ｂに設けた貫通穴、スリット等の通気穴である。
【００１１】
このように構成したファンホルダ４は、その底面４ａが固着用接着剤５によりＬＳＩ１の上面に接着されており、さらに、ファンホルダ４の上面４ｃの４隅にはネジ穴が形成され、ファンホルダ４の空隙部７に挿入された放熱ファン３の放熱基部３ａの４隅に先のネジ穴から挿入した取付けネジ６を螺合させて、放熱ファン３をファンホルダ４に取外し自在に固定する。
【００１２】
上記のように構成した放熱ファンの取付構造を組立てるには、基板２に実装したＬＳＩ１の上面に、ファンホルダ４の底面４ａを接着固定してファンホルダ４を取付け、このファンホルダ４の挿入部４ｅから空隙部７に放熱ファン３の放熱基部３ａを挿入し、ファンホルダ４の上面４ｃのネジ穴から放熱ファン３の放熱基部３ａの４隅に取付けネジ６を螺合して、放熱ファン３をファンホルダ４に固定する。
放熱ファン３を取外すには、取付けネジ６を取り外し、ファンホルダ４の挿入部４ｃから放熱ファン３を取外す。
【００１３】
このように構成したファンホルダ４におけるＬＳＩ１の冷却性については、放熱ファン３を保持するファンホルダ４の取付けの向きや、ファンホルダ４に設けた通気穴４ｆの大きさや位置を変えることによって、基板２上のＬＳＩ１周囲部品の冷却性も可変することができる。
【００１４】
本発明によれば、ファンホルダ４をＬＳＩ１に接着固定し、そのファンホルダ４に放熱ファン３を取付けネジ６で取外し自在に取付けるようにしたので、放熱ファン３をファンホルダ４に容易に取付けることができ、かつ交換することができる。さらに、通気穴４ｆの大きさや位置を変えることで、冷却性を向上させることができる。
【００１５】
【発明の効果】
以上の説明から明らかなように、本発明は、基板に実装したＬＳＩに取付けたＬＳＩ冷却用の放熱ファンの取付構造であって、放熱ファンが、ＬＳＩに固定したファンホルダを介してＬＳＩに取外し自在にに取付けられているので、放熱ファン部分だけを取外すことができ、交換が簡単で、メンテナンス性が向上するという効果がある。
【００１６】
また、放熱ファンがネジを介してファンホルダに取外し自在に取付けられているので、放熱ファン部分だけをネジを用いて取外すことができ、交換が簡単で、メンテナンス性が向上するという効果がある。
【００１７】
さらに、ファンホルダの側壁に冷却用の通気穴を設けたので、ＬＳＩ自身の冷却だけでなく、基板上の周囲部分の冷却性も向上させることができる。
【図面の簡単な説明】
【図１】本発明の実施の形態に係る放熱ファンの取付構造の縦断面図である。
【図２】図１の平面図である。
【図３】図１の側面図である。
【図４】従来の放熱ファンの取付状態の一例を示す縦断面図である。
【図５】従来の放熱ファンの取付状態の他の例を示す縦断面図である。
【符号の説明】
１　ＬＳＩ、２　基板（ＰＷＢ）、３　放熱ファン、４　ファンホルダ、４ｂ側壁、４ｃ　上面、４ｅ　挿入部、４ｆ　通気穴、５　固定用接着剤、６　取付けネジ。
【図１】
2004031374.tif 000003
【図２】
2004031374.tif 000004
【図３】
2004031374.tif 000005
【図４】
2004031374.tif 000006
【図５】
2004031374.tif 000007